(57)【要約】【課題】  物体距離全般にわたる高い光学性能、および小型軽量の点で有利な単焦点レンズの提供を例示的目的とする。【解決手段】  物体側より像側へ順に、正の屈折力の第１レンズ群、正の屈折力の第２レンズ群、正の屈折力の第３レンズ群から構成され、合焦のために、前記第２レンズ群および前記第３レンズ群がそれぞれ独立に移動して互いに隣接するレンズ群どうしの間隔がいずれも変化する単焦点レンズであって、前記単焦点レンズの焦点距離をｆ、前記第１レンズ群の焦点距離をｆ１、前記第２レンズ群の焦点距離をｆ２、前記第３レンズ群の焦点距離をｆ３としたとき、    ３．３＜ｆ１／ｆ＜１２．８    ０．０＜ｆ３／ｆ２＜０．５なる条件式を満足することを特徴とする。【選択図】  図１
2019066585.tif 000002
【特許請求の範囲】
【請求項１】
物体側より像側へ順に、正の屈折力の第１レンズ群、正の屈折力の第２レンズ群、正の屈折力の第３レンズ群から構成され、合焦のために、前記第２レンズ群および前記第３レンズ群がそれぞれ独立に移動して互いに隣接するレンズ群どうしの間隔がいずれも変化する単焦点レンズであって、
前記単焦点レンズの焦点距離をｆ、前記第１レンズ群の焦点距離をｆ１、前記第２レンズ群の焦点距離をｆ２、前記第３レンズ群の焦点距離をｆ３としたとき、
３．３＜ｆ１／ｆ＜１２．８
０．０＜ｆ３／ｆ２＜０．５
なる条件式を満足することを特徴とする単焦点レンズ。
【請求項２】
物体側より像側へ順に、正の屈折力の第１レンズ群、正の屈折力の第２レンズ群、正の屈折力の第３レンズ群、第４レンズ群から構成され、合焦のために、前記第２レンズ群および前記第３レンズ群がそれぞれ独立に移動して互いに隣接するレンズ群どうしの間隔がいずれも変化する単焦点レンズであって、
前記単焦点レンズの焦点距離をｆ、前記第１レンズ群の焦点距離をｆ１、前記第２レンズ群の焦点距離をｆ２、前記第３レンズ群の焦点距離をｆ３とするとき、
３．３＜ｆ１／ｆ＜１２．８
０．０＜ｆ３／ｆ２＜０．５
なる条件式を満足することを特徴とする単焦点レンズ。
【請求項３】
前記第１レンズ群は物体側から像側へ順に、負の屈折力の第１１レンズ、負の屈折力の第１２レンズを有することを特徴とする請求項１又は２に記載の単焦点レンズ。
【請求項４】
無限遠の物体に合焦している場合における前記単焦点レンズの焦点距離をｆ、無限遠の物体に合焦している場合における前記単焦点レンズの全長をＴＤとしたとき、
０．１＜ｆ／ＴＤ＜０．３
なる条件式を満足することを特徴とする請求項１乃至３のいずれか１項に記載の単焦点レンズ。
【請求項５】
無限遠の物体に合焦している場合における前記単焦点レンズの焦点距離をｆ、前記第１レンズ群の全長をＬＢ１としたとき、
１．５＜ＬＢ１／ｆ＜４．０
なる条件式を満足することを特徴とする請求項１乃至４のいずれか１項に記載の単焦点レンズ。
【請求項６】
無限遠の物体に合焦している場合から最至近の物体に合焦している場合への前記第２レンズ群の移動量および前記第３レンズ群の移動量をそれぞれｍ２およびｍ３としたとき、
０．４＜｜ｍ２｜／｜ｍ３｜＜１．０
なる条件式を満足することを特徴とする請求項１乃至５のいずれか１項に記載の単焦点レンズ。
【請求項７】
前記第１レンズ群は、２面以上の非球面を有することを特徴とする請求項１乃至６のいずれか１項に記載の単焦点レンズ。
【請求項８】
請求項１乃至７のいずれか１項に記載の単焦点レンズと、前記単焦点レンズによって形成された像を受ける撮像素子とを有することを特徴とする撮像装置。
【発明の詳細な説明】
【技術分野】
【０００１】
本発明は、単焦点レンズおよび撮像装置に関する。
【背景技術】
【０００２】
写真用カメラ、映画用カメラ、ビデオカメラ等の撮像装置のうち、特に一眼レフカメラや映画用カメラに用いられる広画角な撮像光学系には、バックフォーカスが長いとともに、物体距離全般に渡り画面中心から画面周辺までの略均一な解像力が求められている。広画角でバックフォーカスが長い撮像光学系として、レトロフォーカスタイプの撮像光学系が知られている。その中でも、無限遠物体から近距離物体への焦点調節時に光学系の後方の２つの群を互いに異なる移動量で物体側へ移動させる所謂フローティングを用いた焦点調節方式が知られている（特許文献１、２）。
【先行技術文献】
【特許文献】
【０００３】
【特許文献１】特開２０１６−１８０８５１号公報
【特許文献２】特開２０１７−１５９４１号公報
【発明の概要】
【発明が解決しようとする課題】
【０００４】
前述のフローティングを用いた焦点調節方式を採用すると、収差変化の抑制を行うことができる。しかしながら、各群のパワーを適切に設定しなければ、画面中心から画面周辺までの略均一な解像力の実現と、小型軽量を両立させることができない。
【０００５】
本発明は、物体距離全般にわたる高い光学性能、および小型軽量の点で有利な単焦点レンズの提供を例示的目的とする。
【課題を解決するための手段】
【０００６】
上記目的を達成するために、本発明の単焦点レンズは、物体側より像側へ順に、正の屈折力の第１レンズ群、正の屈折力の第２レンズ群、正の屈折力の第３レンズ群から構成され、合焦のために、前記第２レンズ群および前記第３レンズ群がそれぞれ独立に移動して互いに隣接するレンズ群どうしの間隔がいずれも変化する単焦点レンズであって、
前記単焦点レンズの焦点距離をｆ、前記第１レンズ群の焦点距離をｆ１、前記第２レンズ群の焦点距離をｆ２、前記第３レンズ群の焦点距離をｆ３としたとき、
３．３＜ｆ１／ｆ＜１２．８
０．０＜ｆ３／ｆ２＜０．５
なる条件式を満足することを特徴とする。
【発明の効果】
【０００７】
本発明によれば、例えば、物体距離全般にわたる高い光学性能、および小型軽量の点で有利な単焦点レンズを提供できる。
【図面の簡単な説明】
【０００８】
【図１】数値実施例１の無限遠合焦時のレンズ断面図。
【図２】数値実施例１の（ａ）無限遠、（ｂ）１．０ｍ、（ｃ）０．３ｍの物体に合焦しているときの縦収差図である。
【図３】数値実施例２の無限遠合焦時のレンズ断面図。
【図４】数値実施例２の（ａ）無限遠、（ｂ）１．０ｍ、（ｃ）０．３ｍの物体に合焦しているときの縦収差図である。
【図５】数値実施例３の無限遠合焦時のレンズ断面図。
【図６】数値実施例３の（ａ）無限遠、（ｂ）１．０ｍ、（ｃ）０．３ｍの物体に合焦しているときの縦収差図である。
【図７】数値実施例４の無限遠合焦時のレンズ断面図。
【図８】数値実施例４の（ａ）無限遠、（ｂ）１．０ｍ、（ｃ）０．３ｍの物体に合焦しているときの縦収差図である。
【図９】数値実施例５の無限遠合焦時のレンズ断面図。
【図１０】数値実施例５の（ａ）無限遠、（ｂ）１．０ｍ、（ｃ）０．３ｍの物体に合焦しているときの縦収差図である。
【図１１】数値実施例６の無限遠合焦時のレンズ断面図。
【図１２】数値実施例６の（ａ）無限遠、（ｂ）１．０ｍ、（ｃ）０．３ｍの物体に合焦しているときの縦収差図である。
【図１３】数値実施例７の無限遠合焦時のレンズ断面図。
【図１４】数値実施例７の（ａ）無限遠、（ｂ）１．０ｍ、（ｃ）０．３ｍの物体に合焦しているときの縦収差図である。
【図１５】本発明の撮像装置の要部概略図。
【発明を実施するための形態】
【０００９】
以下に、本発明の好ましい実施の形態を、添付の図面に基づいて詳細に説明する。
まず、本発明の単焦点レンズの特徴について、各条件式に沿って説明する。
本発明は、広画角、小型軽量、全フォーカス範囲で高い光学性能を達成するため、第１レンズ群と全系の焦点距離比、第３レンズ群と第２レンズ群の焦点距離比を規定することを特徴とする。
【００１０】
具体的には、本発明の単焦点レンズおよびそれを有する撮像装置は、物体側より順に、正の第１レンズ群、正の第２レンズ群、正の第３レンズ群を、有し、合焦に際して隣接するレンズ群間の間隔は変化し、合焦のために、前記第２レンズ群、前記第３レンズ群がそれぞれ独立に移動し、全系の焦点距離をｆ、前記第１レンズ群の焦点距離をｆ１、前記第２レンズ群の焦点距離をｆ２、前記第３レンズ群の焦点距離をｆ３、とするとき、
３．３＜ｆ１／ｆ＜１２．８・・・（１）
０．０＜ｆ３／ｆ２＜０．５・・・（２）
なる条件を満足することを特徴とする。
【００１１】
本発明において、合焦時に固定で正の屈折力の第１レンズ群と、合焦時に移動する正の屈折力の第２レンズ群および正の屈折力の第３レンズ群を有する構成とすることによる光学的作用に関して説明する。
【００１２】
第１レンズ群Ｌ１を正の屈折力を持つレンズ群とすることにより、第２レンズ群Ｌ２へ入射する光束は収斂光となり、第２レンズ群Ｌ２、第３レンズ群Ｌ３の大径化を抑制できる。また、第２レンズ群Ｌ２を正の屈折力を持つレンズ群とすることにより、第２レンズ群Ｌ２よりも像側に配置される、第３レンズ群Ｌ３の大型化を抑制できる。特に、開口絞りが第２レンズ群よりも像側に配置される場合、開口絞りの大型化を抑制でき、レンズの小型軽量化が達成される。さらに、無限遠から近距離の物体へのフォーカシングに際して、前記第２レンズ群Ｌ２と、前記第３レンズ群Ｌ３とが光軸に沿って物体側へ異なる移動量で移動することで、球面収差、像面湾曲の変動を抑制することができる。
【００１３】
更に、前述の（１）〜（２）式を満たすことで、広画角、小型軽量、全フォーカス範囲で高い光学性能を効果的に達成することが可能となる。
（１）式は第１レンズ群Ｌ１の焦点距離ｆ１と、全系の焦点距離ｆの比を規定している。（１）式を満たすことで、第１レンズ群Ｌ１の最も物体側のレンズ径の抑制と、高い光学性能を効率的に達成することができる。（１）式の上限が満たされないと、第１レンズ群Ｌ１の屈折力が弱くなるため、第１レンズ群Ｌ１での軸外光線の入射高さが高くなり、第１レンズ群Ｌ１の最も物体側のレンズ径が大型化する。（１）式の下限が満たされないと、第２レンズ群Ｌ２と第３レンズ群Ｌ３の合成の横倍率が大きくなり過ぎる。そのため、第１レンズ群Ｌ１の拡大率が大きくなり過ぎ、第１レンズ群Ｌ１で発生した収差が大きく拡大され、十分な収差補正が困難となる。
【００１４】
更に好ましくは、（１）式は次の如く設定するのが良い。
３．４＜ｆ１／ｆ＜１１．２・・・（１ａ）
【００１５】
また、（２）式は第３レンズ群Ｌ３の焦点距離ｆ３と第２レンズ群Ｌ２の焦点距離ｆ２の比を規定している。（２）式を満たすことで、小型軽量化と、高い光学性能を効率的に達成することができる。（２）式の上限が満たされないと、第２レンズ群Ｌ２の屈折力が強くなりすぎ、第３レンズ群の軸上光線の高さが低くなる。すると、第３レンズ群における、球面収差、および、コマ収差の補正能力が低くなり、光学性能が低下する。（２）式の下限が満たされないと、第２レンズ群Ｌ２よりも像側に配置される、第３レンズ群Ｌ３での軸上光線の高さが高くなり過ぎ、第３レンズ群の大型化する。特に、開口絞りが第２レンズ群Ｌ２よりも像側に配置される場合、開口絞りが大型化する。
【００１６】
更に好ましくは、（２）式は次の如く設定するのが良い。
０．０３＜ｆ３／ｆ２＜０．４５・・・（２ａ）
【００１７】
更なる本発明の単焦点レンズの態様として、第１レンズ群Ｌ１の構成について規定している。第１レンズ群Ｌ１は物体側から像側へ順に、負の第１１レンズ、負の第１２レンズを有することを規定している。これにより、第１レンズ群Ｌ１の最も物体側のレンズの径の大型化を抑制し、レンズの広角化が可能となる。
【００１８】
更なる本発明の単焦点レンズの態様として、無限遠合焦時における、全系の焦点距離ｆと、無限遠合焦時における光軸方向のレンズ全長ＴＤの比を規定している。
０．１＜ｆ／ＴＤ＜０．３・・・（３）
条件式（３）の下限値を超えてレンズ全長ＴＤを短くするためには、各レンズ面の屈折力を強める必要がある。レンズ面の屈折力を強めると諸収差が多く発生し、光学系の光学性能の低下を招くため好ましくない。また、条件式（３）の上限値を超えてレンズ全長ＴＤが長くなると、光学系全系の大型化を招くため好ましくない。
【００１９】
更に好ましくは、（３）式は次の如く設定するのが良い。
０．１５＜ｆ／ＴＤ＜０．２５・・・（３ａ）
【００２０】
更なる本発明の単焦点レンズの態様として、第１レンズ群Ｌ１の全長ＬＢ１と、無限遠合焦時における、全系の焦点距離ｆの比を規定している。
１．５＜ＬＢ１／ｆ＜４．０・・・（４）
条件式（４）の下限値を超えると、第１レンズ群Ｌ１の全長が短くなりすぎ、軸外光線高さの最も高い第１レンズ群Ｌ１での収差補正が不十分となるため好ましくない。また、条件式（４）の上限値を超えて第１レンズ群Ｌ１の全長が長くなると、光学系の大型化を招くため好ましくない。
【００２１】
更に好ましくは、（４）式は次の如く設定するのが良い。
２．０＜ＬＢ１／ｆ＜３．５・・・（４ａ）
【００２２】
更なる本発明の単焦点レンズの態様として、無限遠から最至近の物体へ合焦の際に、第２レンズ群Ｌ２の移動量ｍ２と、第３レンズ群Ｌ３の移動量ｍ３の比を規定している。
０．４＜｜ｍ２｜／｜ｍ３｜＜１．０・・・（５）
（５）式を満たすことで、小型軽量化と、高い光学性能を効率的に達成することができる。（５）式の上限が満たされないと、第２レンズ群Ｌ２の移動量ｍ２が大きくなりすぎ、第１レンズ群Ｌ１と第２レンズ群Ｌ２の間の距離を確保する必要があり、レンズ全長が長くなり、好ましくない。（５）式の下限が満たされないと、第２レンズ群Ｌ２の移動量ｍ２が小さくなりすぎ、フォーカシング時の球面収差、像面湾曲の変動を十分に補正できないため好ましくない。
【００２３】
更に好ましくは、（５）式は次の如く設定するのが良い。
０．５＜｜ｍ２｜／｜ｍ３｜＜０．９５・・・（５ａ）
【００２４】
更なる本発明の単焦点レンズの態様として、第１レンズ群Ｌ１の構成について規定している。第１レンズ群Ｌ１は２面以上の非球面を有することを規定している。第１レンズ群に非球面を配置することで、歪曲収差、非点収差を効果的に補正できる。これにより、第１レンズ群のレンズ枚数を削減し、レンズの全長を抑制、径の大型化を抑制し、レンズの広角化が可能となる。
【００２５】
更に、本発明の撮像装置は、各実施例の単焦点レンズと単焦点レンズによって形成された像を受光する所定の有効撮像範囲を有する固体撮像素子を有することを特徴とする。
【００２６】
以下に本発明の単焦点レンズの具体的な構成について、実施例１〜７に対応する数値実施例１〜７のレンズ構成の特徴により説明する。
【実施例１】
【００２７】
図１は本発明の実施例１（数値実施例１）である単焦点レンズにおいて、無限遠に合焦しているときのレンズ断面図である。図２において、（ａ）は無限遠、（ｂ）は１．０ｍ、（ｃ）は０．３ｍの物体合焦時の縦収差図を示している。焦点距離の値は、後述する数値実施例をｍｍ単位で表したときの値である。これは以下の数値実施例においても、全て同じである。
【００２８】
図１において、物体側から像側へ順に、合焦のためには不動の正の屈折力の第１レンズ群Ｌ１を有している。更に、無限遠から近距離物体へ合焦時、物体側へ移動する正の屈折力の第２レンズ群Ｌ２、第２レンズ群Ｌ２とは異なる移動量で物体側へ移動する正の屈折力の第３レンズ群Ｌ３を有する。ＳＰは開口絞りである。Ｉは像面であり、放送用テレビカメラ、ビデオカメラ、デジタルスチルカメラの撮像光学系として使用する際には、単焦点レンズで形成された像を受光し、光電変換する固体撮像素子（光電変換素子）等の撮像面に相当している。フィルム用カメラの撮像光学系として使用する際には、単焦点レンズで形成された像が感光するフィルム面に相当する。
【００２９】
縦収差図において、球面収差における直線と破線は各々ｄ線、ｇ線である。非点収差における破線と実線は各々メリディオナル像面、サジタル像面であり、倍率色収差における一点鎖線はｇ線である。ωは半画角、ＦｎｏはＦナンバーである。縦収差図では、球面収差は０．４ｍｍ、非点収差は０．４ｍｍ、歪曲は５％、倍率色収差は０．０５ｍｍのスケールで描かれている。
【００３０】
次に、本実施例における第１レンズ群Ｌ１について説明する。第１レンズ群Ｌ１は第１面から第９面に対応する。第１レンズ群Ｌ１は、物体側から像側へ順に、物体側に凸のメニスカス凹レンズ、両凹レンズ、物体側に凸のメニスカス凹レンズと物体側凸のメニスカス凸レンズの接合レンズ、両凸レンズから構成される。また、第１面は非球面で、主に歪曲収差や非点収差の補正を行っている。さらに、第８面は非球面で、主に球面収差の補正を行っている。第２レンズ群Ｌ２は、第１０面から第１６面に対応する。第２レンズ群Ｌ２は、物体側から像側へ順に、両凸レンズと両凹レンズの接合レンズ、両凹レンズ、両凸レンズから構成される。第３レンズ群Ｌ３は、第１７面から第２４面に対応する。第３レンズ群Ｌ３は、物体側から像側へ順に、開口絞りＳＰ、物体側に凹のメニスカス凸レンズと物体側に凹のメニスカス凹レンズの接合レンズ、両凸レンズ、物体側凹のメニスカス凸レンズから構成される。また、第２３面は非球面で、主に球面収差、非点収差の補正を行っている。
【００３１】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉは、第ｉ番目の面と第ｉ＋１番目の面との間の媒質（光学部材）の屈折率、アッベ数、部分分散比を、ＢＦは空気換算のバックフォーカスを表している。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ１４、Ａ１６、Ａ３、Ａ５、Ａ７、Ａ９、Ａ１１、Ａ１３、Ａ１５をそれぞれ非球面係数としたとき、次式で表される。また、「ｅ−Ｚ」は「×１０−Ｚ」を意味する。
【数１】
2019066585.tif 000003
【００３２】
本実施例の各条件式対応値を表１に示す。本実施例は（１）〜（５）式を満足しており、撮影画角（画角）９３．０８°を達成している。且つフォーカス全域において諸収差を良好に補正した高い光学性能を有する単焦点レンズを達成している。本発明の単焦点レンズは、（１）〜（２）式を満足することは必須であるが、（３）〜（５）式については満足していなくても構わない。但し、（３）〜（５）式について少なくとも１つでも満足していれば更に良い効果を奏することができる。これは他の実施例についても同様である。
【００３３】
図１３はデジタルスチルカメラの要部概略図である。図１３において、光学系１は本数値実施例の撮影光学系である。撮影光学系１は保持部材である鏡筒２に保持されている。２０はカメラ本体である。カメラ本体２０はクイックリターンミラー３、焦点板４、ペンタダハプリズム５、接眼レンズ６等によって構成されている。クイックリターンミラー３は、撮影光学系１０からの光束を上方に反射する。焦点板４は撮影光学系１０の像形成位置に配置されている。ペンタダハプリズム５は焦点板４に形成された逆像を正立像に変換する。観察者は、その正立像を、接眼レンズ６を介して観察する。７は感光面であり、像を受光するＣＣＤセンサやＣＭＯＳセンサ等の固体撮像素子（光電変換素子）や銀塩フィルムが配置される。撮影時にはクイックリターンミラー３が光路から退避して、感光面７上に撮影光学系１０によって像側形成される。尚、本発明の光学系は、放送用テレビカメラ、映画用カメラ、ビデオカメラ、デジタルスチルカメラ、銀塩写真用カメラ等に適用できる。
【００３４】
このように、本発明の単焦点レンズを一眼レフカメラ、テレビカメラやシネマ用カメラに適用することにより、高い光学性能を有する撮像装置を実現している。
【実施例２】
【００３５】
図３は本発明の実施例２（数値実施例２）である単焦点レンズにおいて、無限遠に合焦しているときのレンズ断面図である。図４において、（ａ）は無限遠、（ｂ）は１．０ｍ、（ｃ）は０．３ｍの物体合焦時の縦収差図を示している。
図３において、物体側から像側へ順に、合焦時不動の正の屈折力の第１レンズ群Ｌ１を有している。更に、無限遠から近距離物体へ合焦時、物体側へ移動する正の屈折力の第２レンズ群Ｌ２、第２レンズ群Ｌ２とは異なる移動量で物体側へ移動する正の屈折力の第３レンズ群Ｌ３を有する。
【００３６】
次に、本実施例における第１レンズ群Ｌ１について説明する。第１レンズ群Ｌ１は第１面から第９面に対応する。第１レンズ群Ｌ１は、物体側から像側へ順に、物体側に凸のメニスカス凹レンズ、物体側に凸のメニスカス凹レンズ、物体側に凸のメニスカス凹レンズと物体側凸のメニスカス凸レンズの接合レンズ、両凸レンズから構成される。また、第１面、第３面は非球面で、主に歪曲収差や非点収差の補正を行っている。さらに、第２面、第４面は非球面で、主に非点収差の補正を行っている。さらに第８面は非球面で、球面収差の補正を行っている。第２レンズ群Ｌ２は、第１０面から第１６面に対応する。第２レンズ群Ｌ２は、物体側から像側へ順に、両凸レンズと両凹レンズの接合レンズ、物体側凸のメニスカス凹レンズ、両凸レンズから構成される。第３レンズ群Ｌ３は、第１７面から第２４面に対応する。第３レンズ群Ｌ３は、物体側から像側へ順に、開口絞りＳＰ、物体側に凹のメニスカス凸レンズと物体側に凹のメニスカス凹レンズの接合レンズ、両凸レンズ、物体側凹のメニスカス凸レンズから構成される。また、第２３面は非球面で、主に球面収差、非点収差の補正を行っている。
【００３７】
本実施例の各条件式対応値を表１に示す。本実施例は（１）〜（５）式を満足しており、撮影画角（画角）１０５．６８°と広角化を達成している。且つフォーカス全域において諸収差を良好に補正した高い光学性能を有する単焦点レンズを達成している。
【実施例３】
【００３８】
図５は本発明の実施例３（数値実施例３）である単焦点レンズにおいて、無限遠に合焦しているときのレンズ断面図である。図６において、（ａ）は無限遠、（ｂ）は１．０ｍ、（ｃ）は０．３ｍの物体合焦時の縦収差図を示している。
【００３９】
図５において、物体側から像側へ順に、合焦時不動の正の屈折力の第１レンズ群Ｌ１を有している。更に、無限遠から近距離物体へ合焦時、物体側へ移動する正の屈折力の第２レンズ群Ｌ２、第２レンズ群Ｌ２とは異なる移動量で物体側へ移動する正の屈折力の第３レンズ群Ｌ３を有する。
【００４０】
次に、本実施例における第１レンズ群Ｌ１について説明する。第１レンズ群Ｌ１は第１面から第９面に対応する。第１レンズ群Ｌ１は、物体側から像側へ順に、物体側に凸のメニスカス凹レンズ、物体側に凸のメニスカス凹レンズ、両凹レンズと両凸レンズの接合レンズ、両凸レンズから構成される。また、第１面、第２面は非球面で、主に歪曲収差や非点収差の補正を行っている。さらに、第４面、第８面は非球面で、主に球面収差の補正を行っている。第２レンズ群Ｌ２は、第１０面から第１６面に対応する。第２レンズ群Ｌ２は、物体側から像側へ順に、物体側凹のメニスカス凸レンズと両凹レンズの接合レンズ、両凹レンズ、両凸レンズから構成される。第３レンズ群Ｌ３は、第１７面から第２４面に対応する。第３レンズ群Ｌ３は、物体側から像側へ順に、開口絞りＳＰ、物体側に凹のメニスカス凸レンズと両凹レンズの接合レンズ、両凸レンズ、両凸レンズから構成される。また、第２３面は非球面で、主に球面収差、非点収差の補正を行っている。
【００４１】
本実施例の各条件式対応値を表１に示す。本実施例は（１）〜（５）式を満足しており、撮影画角（画角）１１２．７０°と広角化を達成している。且つフォーカス全域において諸収差を良好に補正した高い光学性能を有する単焦点レンズを達成している。
【実施例４】
【００４２】
図７は本発明の実施例４（数値実施例４）である単焦点レンズにおいて、無限遠に合焦しているときのレンズ断面図である。図８において、（ａ）は無限遠、（ｂ）は１．０ｍ、（ｃ）は０．３ｍの物体合焦時の縦収差図を示している。
【００４３】
図７において、物体側から像側へ順に、合焦時不動の正の屈折力の第１レンズ群Ｌ１を有している。更に、無限遠から近距離物体へ合焦時、物体側へ移動する正の屈折力の第２レンズ群Ｌ２、第２レンズ群Ｌ２とは異なる移動量で物体側へ移動する正の屈折力の第３レンズ群Ｌ３を有する。
【００４４】
次に、本実施例における第１レンズ群Ｌ１について説明する。第１レンズ群Ｌ１は第１面から第９面に対応する。第１レンズ群Ｌ１は、物体側から像側へ順に、物体側に凸のメニスカス凹レンズ、物体側に凸のメニスカス凹レンズ、両凹レンズと両凸レンズの接合レンズ、両凸レンズから構成される。また、第１面、第２面は非球面で、主に歪曲収差や非点収差の補正を行っている。さらに、第４面、第８面は非球面で、主に球面収差の補正を行っている。第２レンズ群Ｌ２は、第１０面から第１６面に対応する。第２レンズ群Ｌ２は、物体側から像側へ順に、両凸レンズと両凹レンズの接合レンズ、両凹レンズ、両凸レンズから構成される。第３レンズ群Ｌ３は、第１７面から第２４面に対応する。第３レンズ群Ｌ３は、物体側から像側へ順に、開口絞りＳＰ、物体側に凹のメニスカス凸レンズと物体側凹のメニスカス凹レンズの接合レンズ、両凸レンズ、両凸レンズから構成される。また、第２３面は非球面で、主に球面収差、非点収差の補正を行っている。
【００４５】
本実施例の各条件式対応値を表１に示す。本実施例は（１）〜（５）式を満足しており、撮影画角（画角）１０３．１６°と広角化を達成している。且つフォーカス全域において諸収差を良好に補正した高い光学性能を有する単焦点レンズを達成している。
【実施例５】
【００４６】
図９は本発明の実施例５（数値実施例５）である単焦点レンズにおいて、無限遠に合焦しているときのレンズ断面図である。図１０において、（ａ）は無限遠、（ｂ）は１．０ｍ、（ｃ）は０．３ｍの物体合焦時の縦収差図を示している。
【００４７】
図９において、物体側から像側へ順に、合焦時不動の正の屈折力の第１レンズ群Ｌ１を有している。更に、無限遠から近距離物体へ合焦時、物体側へ移動する正の屈折力の第２レンズ群Ｌ２、第２レンズ群Ｌ２とは異なる移動量で物体側へ移動する正の屈折力の第３レンズ群Ｌ３を有する。
【００４８】
次に、本実施例における第１レンズ群Ｌ１について説明する。第１レンズ群Ｌ１は第１面から第９面に対応する。第１レンズ群Ｌ１は、物体側から像側へ順に、物体側に凸のメニスカス凹レンズ、物体側に凸のメニスカス凹レンズ、両凹レンズと両凸レンズの接合レンズ、両凸レンズから構成される。また、第１面、第２面は非球面で、主に歪曲収差や非点収差の補正を行っている。さらに、第４面、第８面は非球面で、主に球面収差の補正を行っている。第２レンズ群Ｌ２は、第１０面から第１６面に対応する。第２レンズ群Ｌ２は、物体側から像側へ順に、両凸レンズと両凹レンズの接合レンズ、両凹レンズ、両凸レンズから構成される。第３レンズ群Ｌ３は、第１７面から第２４面に対応する。第３レンズ群Ｌ３は、物体側から像側へ順に、開口絞りＳＰ、物体側に凹のメニスカス凸レンズと物体側凹のメニスカス凹レンズの接合レンズ、両凸レンズ、両凸レンズから構成される。また、第２３面は非球面で、主に球面収差、非点収差の補正を行っている。
【００４９】
本実施例の各条件式対応値を表１に示す。本実施例は（１）〜（５）式を満足しており、撮影画角（画角）１０６．９０°と広角化を達成している。且つフォーカス全域において諸収差を良好に補正した高い光学性能を有する単焦点レンズを達成している。
【実施例６】
【００５０】
図１１は本発明の実施例６（数値実施例６）である単焦点レンズにおいて、無限遠に合焦しているときのレンズ断面図である。図１２において、（ａ）は無限遠、（ｂ）は１．０ｍ、（ｃ）は０．３ｍの物体合焦時の縦収差図を示している。
【００５１】
図１１において、物体側から像側へ順に、合焦時不動の正の屈折力の第１レンズ群Ｌ１を有している。更に、無限遠から近距離物体へ合焦時、物体側へ移動する正の屈折力の第２レンズ群Ｌ２、第２レンズ群Ｌ２とは異なる移動量で物体側へ移動する正の屈折力の第３レンズ群Ｌ３を有する。
【００５２】
次に、本実施例における第１レンズ群Ｌ１について説明する。第１レンズ群Ｌ１は第１面から第９面に対応する。第１レンズ群Ｌ１は、物体側から像側へ順に、物体側に凸のメニスカス凹レンズ、物体側に凸のメニスカス凹レンズ、両凹レンズと両凸レンズの接合レンズ、両凸レンズから構成される。また、第１面、第２面は非球面で、主に歪曲収差や非点収差の補正を行っている。さらに、第４面、第８面は非球面で、主に球面収差の補正を行っている。第２レンズ群Ｌ２は、第１０面から第１６面に対応する。第２レンズ群Ｌ２は、物体側から像側へ順に、両凸レンズと両凹レンズの接合レンズ、両凹レンズ、両凸レンズから構成される。第３レンズ群Ｌ３は、第１７面から第２４面に対応する。第３レンズ群Ｌ３は、物体側から像側へ順に、開口絞りＳＰ、物体側に凹のメニスカス凸レンズと物体側凹のメニスカス凹レンズの接合レンズ、両凸レンズ、両凸レンズから構成される。また、第２３面は非球面で、主に球面収差、非点収差の補正を行っている。
【００５３】
本実施例の各条件式対応値を表１に示す。本実施例は（１）〜（５）式を満足しており、撮影画角（画角）１０１．００°と広角化を達成している。且つフォーカス全域において諸収差を良好に補正した高い光学性能を有する単焦点レンズを達成している。
【実施例７】
【００５４】
図１３は本発明の実施例７（数値実施例７）である単焦点レンズにおいて、無限遠に合焦しているときのレンズ断面図である。図１４において、（ａ）は無限遠、（ｂ）は１．０ｍ、（ｃ）は０．３ｍの物体合焦時の縦収差図を示している。
【００５５】
図１３において、物体側から像側へ順に、合焦時不動の正の屈折力の第１レンズ群Ｌ１を有している。更に、無限遠から近距離物体へ合焦時、物体側へ移動する正の屈折力の第２レンズ群Ｌ２、第２レンズ群Ｌ２とは異なる移動量で物体側へ移動する正の屈折力の第３レンズ群Ｌ３を有する。合焦時不動の負の屈折力の第４レンズ群Ｌ４を有している。
【００５６】
次に、本実施例における第１レンズ群Ｌ１について説明する。第１レンズ群Ｌ１は第１面から第９面に対応する。第１レンズ群Ｌ１は、物体側から像側へ順に、物体側に凸のメニスカス凹レンズ、物体側に凸のメニスカス凹レンズ、両凹レンズと両凸レンズの接合レンズ、両凸レンズから構成される。また、第１面、第２面は非球面で、主に歪曲収差や非点収差の補正を行っている。さらに、第４面、第８面は非球面で、主に球面収差の補正を行っている。第２レンズ群Ｌ２は、第１０面から第１６面に対応する。第２レンズ群Ｌ２は、物体側から像側へ順に、両凸レンズと両凹レンズの接合レンズ、両凹レンズ、両凸レンズから構成される。第３レンズ群Ｌ３は、第１７面から第２４面に対応する。第３レンズ群Ｌ３は、物体側から像側へ順に、開口絞りＳＰ、物体側に凹のメニスカス凸レンズと物体側凹のメニスカス凹レンズの接合レンズ、両凸レンズ、両凸レンズから構成される。また、第２３面は非球面で、主に球面収差、非点収差の補正を行っている。第４レンズ群Ｌ４は第２５面から第２６面に対応する。第４レンズ群Ｌ４は、両凹レンズで構成される。
【００５７】
本実施例の各条件式対応値を表１に示す。本実施例は（１）〜（５）式を満足しており、撮影画角（画角）９７．９８°と広角化を達成している。且つフォーカス全域において諸収差を良好に補正した高い光学性能を有する単焦点レンズを達成している。
【００５８】
以上、本発明の好ましい実施形態について説明したが、本発明はこれらの実施形態に限定されず、その要旨の範囲内で種々の変形および変更が可能である。
【００５９】
（数値実施例１）
単位 mm
面データ
面番号       r        d      nd         vd       有効径
1*       280.047    2.32   1.60311    60.6       62.24
2         24.883   17.51                         44.69
3        -99.771    1.88   1.78800    47.4       43.57
4         47.733    1.09                         41.18
5         52.034    1.55   1.89286    20.4       41.38
6         25.001   10.58   1.74000    28.3       39.55
7        116.448    0.23                         39.35
8*        38.596    9.98   1.91650    31.6       39.72
9        -92.636  (可変)                         38.57
10         58.094    5.80   1.85026    32.3       27.66
11        -46.620    1.49   1.60342    38.0       25.55
12         19.625    5.08                         22.63
13        -76.613    1.30   1.65412    39.7       22.74
14         76.613    0.20                         23.42
15         26.450    6.53   1.49700    81.5       24.87
16        -60.404  (可変)                         24.87
17(絞り)    ∞       7.32                         24.14
18        -19.091    3.99   1.48749    70.2       23.44
19        -15.527    1.65   1.84666    23.8       24.23
20        -44.569    0.20                         27.88
21        100.123    8.30   1.61800    63.4       31.47
22        -28.402    0.19                         32.88
23*      -116.747    6.01   1.85400    40.4       34.17
24        -33.943  (可変)                         36.22
像面        ∞   
【００６０】
非球面データ
第1面
K = 0.00000e+000  A 4=-2.49717e-005  A 6=-1.20624e-006  A 8=-6.71315e-009  A10=-4.17725e-012  A12= 2.55967e-015  A14=-9.63712e-019  A16=-1.63231e-022  
A 3= 7.67939e-005  A 5= 8.06146e-006  A 7= 1.12499e-007  A 9= 2.43200e-010  A11=-2.99427e-014  A13=-1.91367e-017  A15= 2.34031e-020  
第8面
K =-2.54800e+000  A 4= 6.88677e-006  A 6= 5.14663e-007  A 8= 3.92487e-009  A10=-9.30826e-012  A12= 4.26623e-014  A14=-2.18804e-017  A16=-4.76121e-020  
A 3=-1.50859e-005  A 5=-2.56182e-006  A 7=-6.24564e-008  A 9=-3.11678e-011  A11= 8.49317e-014  A13=-1.87343e-015  A15= 2.84800e-018  
第23面
K = 0.00000e+000  A 4=-1.19705e-005  A 6=-2.93407e-009  A 8=-6.98369e-012  A10=-1.35994e-014  
【００６１】
各種データ
無限遠    50f     最至近
焦点距離      20.50    20.45    20.26  
Fナンバー      1.45     1.45     1.45  
半画角        46.54    46.54    46.54  
像高          21.64    21.64    21.64  
レンズ全長   100.04    99.55    97.71 
BF            38.32    38.81    40.64  
d 9            4.60     4.26     2.99  
d16            2.22     2.07     1.51  
d24           38.32    38.81    40.64  
入射瞳位置    27.02    26.83    26.17  
射出瞳位置   -59.13   -59.13   -59.13  
前側主点位置  43.20    42.99    42.22  
後側主点位置  17.82    17.89    18.14  
レンズ群データ
群  始面    焦点距離  レンズ構成長  前側主点位置  後側主点位置
1    1     118.53        45.15        72.62         95.90
2   10     752.47        20.41        38.48         24.15
3   17      37.06        27.66        24.02          9.13
単レンズデータ
レンズ  始面  焦点距離
1       1    -45.44
2       3    -40.74
3       5    -55.40
4       6     41.00
5       8     30.85
6      10     31.21
7      11    -22.70
8      13    -58.37
9      15     37.96
10      18    124.81
11      19    -28.90
12      21     36.71
13      23     54.22
【００６２】
（数値実施例２）
単位 mm
面データ
面番号       r        d      nd         vd       有効径
1*       949.422    2.32   1.58913    61.1       60.00
2*        28.202   12.57                         45.05
3*        66.821    1.88   1.76450    49.1       43.96
4*        21.139   14.08                         34.85
5        193.044    1.55   1.80810    22.8       32.50
6         26.174    6.66   1.85025    30.1       30.95
7        132.604    0.64                         30.24
8*        38.698    6.39   2.00330    28.3       29.39
9       -165.948  (可変)                         27.77
10        277.202    2.64   1.90043    37.4       26.77
11       -110.374    1.50   1.49700    81.5       26.53
12         21.598    4.48                         24.82
13       2339.224    1.48   1.95375    32.3       24.99
14         51.564    0.20                         25.41
15         30.859    7.90   1.59522    67.7       26.89
16        -42.891  (可変)                         27.12
17(絞り)    ∞       7.72                         26.25
18        -43.169    7.10   1.49700    81.5       24.72
19        -15.131    1.28   1.95375    32.3       24.79
20        -80.567    0.19                         28.64
21         83.139    8.98   1.49700    81.5       31.11
22        -25.265    0.20                         31.82
23*      -340.464    5.69   1.69350    53.2       34.14
24        -31.701  (可変)                         35.36
像面        ∞   
【００６３】
非球面データ
第1面
K = 0.00000e+000  A 4=-1.96445e-006  A 6=-1.29088e-007  A 8= 1.45979e-010  A10= 3.90012e-013  A12=-8.60266e-016  A14=-1.78441e-020  A16= 2.71561e-023  
A 3= 4.24807e-004  A 5= 8.90521e-007  A 7= 4.93011e-009  A 9=-1.80049e-011  A11= 1.36193e-014  A13= 1.51683e-017  A15=-2.53053e-021  
第2面
K = 0.00000e+000  A 4=-3.75301e-005  A 6=-4.41979e-007  A 8= 4.26527e-010  A10= 5.25512e-012  A12=-5.36317e-015  A14= 8.48554e-018  A16= 8.82134e-021  
A 3= 5.11759e-004  A 5= 5.13386e-006  A 7= 1.79877e-008  A 9=-1.00668e-010  A11=-6.79196e-014  A13= 1.63184e-016  A15=-5.41991e-019  
第3面
K =-6.94161e+001  A 4=-6.26156e-006  A 6= 1.17907e-008  A 8=-2.33610e-011  A10= 4.80682e-014  A12=-3.67496e-017  
第4面
K =-5.37619e-001  A 4=-1.88729e-005  A 6= 6.82017e-008  A 8=-4.68802e-011  A10= 2.09429e-013  A12=-3.87593e-016  
第8面
K =-2.00664e+001  A 4= 2.64725e-005  A 6=-1.35074e-006  A 8= 1.34098e-008  A10= 7.13576e-011  A12=-4.11611e-013  A14=-9.37868e-016  A16=-3.36774e-019  
A 3= 2.07731e-005  A 5= 6.13636e-006  A 7= 4.31503e-008  A 9=-1.77876e-009  A11= 2.45416e-012  A13= 2.37701e-014  A15= 2.55919e-017  
第23面
K = 2.26396e+002  A 4=-1.45997e-005  A 6= 4.59615e-008  A 8=-4.06717e-010  A10= 1.89587e-012  A12=-5.25035e-015  A14= 7.76779e-018  A16=-4.87085e-021  
【００６４】
各種データ
無限遠    50f     最至近
焦点距離      16.40    16.36    16.21  
Fナンバー      1.45     1.45     1.45  
半画角        52.84    52.84    52.84  
像高          21.64    21.64    21.64  
レンズ全長    98.97    98.65    97.42  
BF            38.50    38.83    40.05  
d 9            2.40     2.10     1.00  
d16            1.15     1.12     0.99  
d24           38.50    38.83    40.05  
入射瞳位置    23.10    23.02    22.71  
射出瞳位置   -77.68   -77.68   -77.68  
前側主点位置  37.19    37.08    36.66  
後側主点位置  22.10    22.17    22.41  
レンズ群データ
群  始面    焦点距離  レンズ構成長  前側主点位置  後側主点位置
1    1      60.74        46.08        52.62         72.22
2   10     661.35        18.20        97.74         99.15
3   17      40.23        31.16        27.54          9.67
単レンズデータ
レンズ  始面  焦点距離
1       1    -49.38
2       3    -41.18
3       5    -37.63
4       6     37.28
5       8     31.77
6      10     87.95
7      11    -36.21
8      13    -55.30
9      15     31.41
10      18     43.24
11      19    -19.72
12      21     40.09
13      23     50.03
【００６５】
（数値実施例３）
単位 mm
面データ
面番号       r        d      nd         vd       有効径
1*      1180.079    2.32   1.58913    61.1       60.43
2*        23.017   16.52                         42.25
3         83.140    1.88   1.90270    31.0       34.44
4*        22.277    8.43                         27.34
5        -44.215    1.55   1.59522    67.7       27.05
6        125.005    4.81   1.67300    38.1       26.90
7       -100.005    0.50                         26.76
8*        36.421    6.55   1.88300    40.8       25.84
9        -61.097  (可変)                         24.49
10       -488.884    3.57   1.88300    40.8       20.64
11        -46.620    1.50   1.53775    74.7       20.50
12         19.625    3.84                         19.63
13        -76.613    1.48   1.59522    67.7       19.85
14         76.613    0.20                         20.81
15         22.009    7.35   1.51742    52.4       22.85
16        -37.419  (可変)                         22.86
17(絞り)    ∞       2.00                         21.81
18       -318.985    8.20   1.48749    70.2       21.19
19        -13.949    1.28   1.95375    32.3       20.37
20        394.905    0.19                         22.35
21         40.646    9.16   1.49700    81.5       23.70
22        -21.348    0.20                         24.58
23*      2812.935    3.93   1.53775    74.7       23.37
24        -33.043  (可変)                         24.54
像面        ∞   
【００６６】
非球面データ
第1面
K = 0.00000e+000  A 4= 1.77329e-005  A 6= 4.29632e-008  A 8=-1.41065e-010  A10=-1.12083e-013  A12= 7.31084e-017  A14= 4.81227e-020  A16= 5.31826e-023  
A 3= 6.18326e-004  A 5=-2.67106e-006  A 7= 3.28702e-009  A 9= 3.31429e-012  A11= 8.43003e-016  A13=-1.05966e-018  A15=-3.34316e-021  
第2面
K = 0.00000e+000  A 4=-5.01644e-005  A 6=-8.26105e-007  A 8=-5.49574e-010  A10= 7.02471e-013  A12=-2.92132e-014  A14=-3.83423e-017  A16=-2.41715e-020  
A 3= 8.75395e-004  A 5= 7.23629e-006  A 7= 4.49034e-008  A 9=-7.56304e-011  A11= 4.47750e-013  A13= 9.35061e-016  A15= 1.54421e-018  
第4面
K =-4.89671e-001  A 4= 1.65012e-005  A 6= 5.86757e-008  A 8= 5.90271e-011  A10= 2.25842e-012  A12=-6.59490e-015  
第8面
K =-3.35493e+000  A 4=-6.43318e-005  A 6=-2.31953e-006  A 8= 1.16082e-008  A10= 7.55857e-011  A12=-9.91206e-013  A14=-3.71235e-015  A16=-2.44263e-018  
A 3= 1.48040e-004  A 5= 1.63014e-005  A 7= 1.22964e-007  A 9=-2.09983e-009  A11= 7.20122e-012  A13= 6.76922e-014  A15= 1.42056e-016  
第23面
K =-8.15635e+007  A 4=-2.35386e-005  A 6= 7.47806e-008  A 8=-2.52730e-009  A10= 3.40711e-011  A12=-2.66461e-013  A14= 1.06605e-015  A16=-1.71741e-018  
【００６７】
各種データ
無限遠    50f     最至近
焦点距離      14.40    14.38    14.29  
Fナンバー      1.83     1.83     1.83  
半画角        56.35    56.35    56.35  
像高          21.64    21.64    21.64  
レンズ全長    88.57    88.32    87.42  
BF            38.79    39.04    39.94  
d 9            1.89     1.69     0.98  
d16            1.24     1.19     1.00    
d24           38.79    39.04    39.94  
入射瞳位置    20.65    20.60    20.43  
射出瞳位置   -35.35   -35.35   -35.35  
前側主点位置  32.25    32.19    31.97  
後側主点位置  24.39    24.43    24.58  
レンズ群データ
群  始面    焦点距離  レンズ構成長  前側主点位置  後側主点位置
1    1      61.39        42.55        54.51         89.33
2   10     263.17        17.94        50.69         46.68
3   17      45.02        24.95        22.15          8.27
単レンズデータ
レンズ  始面  焦点距離
1       1    -39.88
2       3    -34.21
3       5    -54.69
4       6     83.27
5       8     26.68
6      10     58.14
7      11    -25.48
8      13    -64.13
9      15     27.96
10      18     29.66
11      19    -14.10
12      21     29.62
13      23     60.76
【００６８】
（数値実施例４）
単位 mm
面データ
面番号       r        d      nd         vd       有効径
1*      1163.304    2.32   1.51633    64.1       60.49
2*        22.678   16.36                         42.71
3         55.976    1.88   1.90270    31.0       35.33
4*        23.969    9.17                         28.58
5        -44.927    1.55   1.59522    67.7       28.32
6         51.189    7.17   1.81600    46.6       28.39
7       -123.517    0.50                         28.13
8*        49.737    5.76   1.90270    31.0       27.18
9       -104.809  (可変)                         25.87
10        212.838    4.41   1.88300    40.8       22.67
11        -46.620    1.50   1.51742    52.4       22.44
12         19.625    4.37                         21.09
13        -76.613    1.30   1.54072    47.2       21.27
14         76.613    0.20                         22.15
15         22.844    7.56   1.49700    81.5       24.05
16        -39.053  (可変)                         23.99
17(絞り)    ∞       2.21                         22.79
18        -64.938    6.31   1.49700    81.5       22.31
19        -14.794    1.28   1.89190    37.1       22.00
20       -785.602    0.19                         24.07
21         42.469    8.69   1.49700    81.5       25.48
22        -22.898    0.20                         25.97
23*      3778.661    3.46   1.51633    64.1       24.29
24        -41.203  (可変)                         23.98
像面        ∞   
【００６９】
非球面データ
第1面
K = 0.00000e+000  A 4= 1.97328e-005  A 6= 4.23575e-009  A 8=-2.10611e-010  A10=-1.01582e-013  A12=-9.70339e-018  A14= 3.42335e-020  A16= 5.55518e-023  
A 3= 5.64574e-004  A 5=-2.35252e-006  A 7= 5.42797e-009  A 9= 4.20339e-012  A11= 1.62898e-015  A13= 1.00686e-018  A15=-3.47088e-021  
第2面
K = 0.00000e+000  A 4=-4.38226e-005  A 6=-8.91755e-007  A 8=-9.57961e-010  A10= 1.83223e-012  A12=-2.92323e-014  A14=-3.77660e-017  A16=-2.15386e-020  
A 3= 7.78641e-004  A 5= 7.34157e-006  A 7= 5.25007e-008  A 9=-7.63818e-011  A11= 4.04236e-013  A13= 9.64100e-016  A15= 1.44261e-018  
第4面
K =-4.78402e-001  A 4= 2.00401e-005  A 6= 7.47820e-008  A 8=-2.72167e-010  A10= 3.92382e-012  A12=-8.64942e-015  
第8面
K =-3.08804e+000  A 4=-5.05584e-005  A 6=-2.13437e-006  A 8= 1.17144e-008  A10= 7.39486e-011  A12=-1.01833e-012  A14=-3.62864e-015  A16=-2.43159e-018  
A 3= 1.06578e-004  A 5= 1.43808e-005  A 7= 1.13428e-007  A 9=-2.08685e-009  A11= 7.53361e-012  A13= 6.77213e-014  A15= 1.39215e-016  
第23面
K =-1.83227e+008  A 4=-2.13547e-005  A 6= 2.95168e-008  A 8=-1.61687e-009  A10= 2.36512e-011  A12=-2.00959e-013  A14= 8.81487e-016  A16=-1.57627e-018  
【００７０】
各種データ
無限遠    50f     最至近
焦点距離      17.16    17.14    17.06  
Fナンバー      1.83     1.83     1.83  
半画角        51.58    51.58    51.58  
像高          21.64    21.64    21.64  
レンズ全長    90.00    89.66    88.39  
BF            40.51    40.86    42.12  
d 9            2.32     2.04     0.96  
d16            1.29     1.23     1.00    
d24           40.51    40.86    42.12  
入射瞳位置    23.05    22.98    22.71  
射出瞳位置   -26.76   -26.76   -26.76  
前側主点位置  35.83    35.75    35.45  
後側主点位置  23.35    23.39    23.51  
レンズ群データ
群  始面    焦点距離  レンズ構成長  前側主点位置  後側主点位置
1    1     166.67        44.71       112.16        207.88
2   10     120.10        19.34        22.99         10.92
3   17      52.30        22.35        21.33          9.26
単レンズデータ
レンズ  始面  焦点距離
1       1    -44.83
2       3    -47.77
3       5    -39.96
4       6     45.18
5       8     38.04
6      10     43.66
7      11    -26.49
8      13    -70.63
9      15     30.23
10      18     37.00
11      19    -16.92
12      21     31.32
13      23     78.96
【００７１】
（数値実施例５）
単位 mm
面データ
面番号       r        d      nd         vd       有効径
1*       786.437    2.32   1.58913    61.1       59.99
2*        23.317   15.33                         42.76
3         71.543    1.88   1.90270    31.0       36.89
4*        27.499    9.40                         29.68
5        -43.005    1.55   1.59522    67.7       29.43
6         48.162    8.83   1.83481    42.7       29.66
7        -77.046    0.98                         29.40
8*        54.835    5.79   1.90270    31.0       27.57
9        -95.058  (可変)                         26.08
10       3175.719    3.83   1.79952    42.2       21.56
11        -46.620    1.50   1.51742    52.4       21.26
12         19.625    4.05                         20.19
13        -76.613    2.15   1.53172    48.8       20.38
14         76.613    0.20                         21.51
15         22.214    7.76   1.49700    81.5       23.37
16        -32.303  (可変)                         23.31
17(絞り)    ∞       2.00                         21.71
18        -49.363    6.36   1.49700    81.5       21.33
19        -13.786    1.28   1.89190    37.1       20.94
20       -211.156    0.19                         22.95
21         39.341   11.42   1.49700    81.5       24.35
22        -22.949    0.20                         25.13
23*      4718.395    4.46   1.51633    64.1       23.43
24        -46.591  (可変)                         25.00
像面        ∞   
【００７２】
非球面データ
第1面
K = 0.00000e+000  A 4= 1.67796e-005  A 6= 5.86457e-009  A 8=-2.15196e-010  A10=-1.08763e-013  A12=-2.41298e-017  A14= 4.42912e-020  A16= 5.70796e-023  
A 3= 5.99992e-004  A 5=-2.20331e-006  A 7= 5.15079e-009  A 9= 4.65403e-012  A11= 2.13928e-015  A13= 6.95942e-019  A15=-3.50094e-021  
第2面
K = 0.00000e+000  A 4=-3.71091e-005  A 6=-8.73918e-007  A 8=-9.88783e-010  A10= 2.23200e-012  A12=-2.89392e-014  A14=-3.68758e-017  A16=-2.10976e-020  
A 3= 7.84002e-004  A 5= 6.90148e-006  A 7= 5.32361e-008  A 9=-8.15822e-011  A11= 3.88751e-013  A13= 9.52296e-016  A15= 1.41849e-018  
第4面
K =-1.02116e+000  A 4= 1.99020e-005  A 6= 9.13097e-008  A 8=-4.19364e-010  A10= 4.19927e-012  A12=-8.52278e-015  
第8面
K =-2.76235e+000  A 4=-4.54952e-005  A 6=-1.97684e-006  A 8= 1.19439e-008  A10= 7.42030e-011  A12=-1.01709e-012  A14=-3.60216e-015  A16=-2.09629e-018  
A 3= 8.94510e-005  A 5= 1.31633e-005  A 7= 1.02730e-007  A 9=-2.07058e-009  A11= 7.30100e-012  A13= 6.91457e-014  A15= 1.28874e-016  
第23面
K =-3.41516e+008  A 4=-2.11548e-005  A 6= 1.49873e-008  A 8=-1.43662e-009  A10= 2.15496e-011  A12=-1.81946e-013  A14= 7.76009e-016  A16=-1.34321e-018  
【００７３】
各種データ
無限遠    50f     最至近
焦点距離      16.04    16.00    15.86  
Fナンバー      1.83     1.83     1.83  
半画角        53.45    53.45    53.45  
像高          21.64    21.64    21.64  
レンズ全長    94.99    94.67    93.46  
BF            38.80    39.13    40.33  
d 9            2.21     1.95     1.00  
d16            1.31     1.24     0.99  
d24           38.80    39.13    40.33  
入射瞳位置    22.01    21.94    21.69  
射出瞳位置   -33.16   -33.16   -33.16  
前側主点位置  34.48    34.39    34.06  
後側主点位置  22.76    22.84    23.10  
レンズ群データ
群  始面    焦点距離  レンズ構成長  前側主点位置  後側主点位置
1    1      60.61        46.08        53.60         81.35
2   10     125.01        19.49        30.48         21.39
3   17      53.12        25.91        24.42         12.03
単レンズデータ
レンズ  始面  焦点距離
1       1    -40.83
2       3    -50.50
3       5    -37.93
4       6     36.68
5       8     39.24
6      10     57.50
7      11    -26.49
8      13    -71.69
9      15     27.80
10      18     36.33
11      19    -16.59
12      21     31.05
13      23     89.38
【００７４】
（数値実施例６）
単位 mm
面データ
面番号       r        d      nd         vd       有効径
1*      1136.931    2.32   1.58313    59.4       59.92
2*        22.749   15.34                         42.89
3         74.032    1.88   1.90270    31.0       36.79
4*        32.210    9.39                         30.54
5        -41.165    1.55   1.49700    81.5       30.36
6         91.886    5.92   1.90043    37.4       30.82
7        -90.508    0.50                         30.79
8*        63.384    5.75   1.90270    31.0       29.54
9       -128.499  (可変)                         28.16
10        125.910    4.66   1.81600    46.6       24.21
11        -46.620    1.50   1.51742    52.4       23.88
12         19.625    4.84                         22.17
13        -76.613    1.68   1.56732    42.8       22.35
14         76.613    0.20                         23.40
15         23.374    7.18   1.49700    81.5       25.58
16        -72.695  (可変)                         25.49
17(絞り)    ∞       2.00                         24.92
18        -94.929    7.57   1.49700    81.5       24.63
19        -15.574    1.28   1.89190    37.1       24.45
20       -150.999    0.19                         27.26
21         45.933    9.38   1.49700    81.5       29.38
22        -24.756    0.20                         29.73
23*      4276.573    5.58   1.51633    64.1       27.36
24        -41.214  (可変)                         26.79
像面        ∞   
【００７５】
非球面データ
第1面
K = 0.00000e+000  A 4=-1.43631e-005  A 6= 2.83680e-009  A 8=-2.55113e-010  A10=-8.65537e-014  A12=-3.98936e-017  A14= 1.00617e-019  A16= 5.53976e-023  
A 3= 7.10659e-004  A 5=-6.59966e-007  A 7= 4.40268e-009  A 9= 6.34594e-012  A11= 1.33335e-015  A13= 1.27279e-020  A15=-4.24417e-021  
第2面
K = 0.00000e+000  A 4=-8.46935e-005  A 6=-1.35642e-006  A 8=-2.45578e-009  A10= 3.31914e-012  A12=-3.05445e-014  A14=-3.60729e-017  A16=-2.48810e-020  
A 3= 9.30501e-004  A 5= 1.12556e-005  A 7= 9.15283e-008  A 9=-7.26938e-011  A11= 3.81277e-013  A13= 9.69473e-016  A15= 1.50361e-018  
第4面
K =-8.93980e-001  A 4= 2.09271e-005  A 6= 7.65116e-008  A 8=-3.83676e-010  A10= 3.40334e-012  A12=-6.85400e-015  
第8面
K =-4.19503e+000  A 4=-4.17127e-005  A 6=-1.64828e-006  A 8= 1.05162e-008  A10= 6.88682e-011  A12=-1.00599e-012  A14=-3.53901e-015  A16=-1.34229e-018  
A 3= 1.01824e-004  A 5= 1.18492e-005  A 7= 7.56276e-008  A 9=-1.73354e-009  A11= 5.95968e-012  A13= 7.45637e-014  A15= 1.02461e-016  
第23面
K =-2.18049e+008  A 4=-1.93727e-005  A 6= 6.69563e-009  A 8=-7.31034e-010  A10= 1.01393e-011  A12=-8.18714e-014  A14= 3.32855e-016  A16=-5.39375e-019  
【００７６】
各種データ
無限遠    50f     最至近
焦点距離      17.83    17.82    17.76  
Fナンバー      1.70     1.70     1.70  
半画角        50.50    50.50    50.50  
像高          21.64    21.64    21.64  
レンズ全長    92.65    92.29    90.92  
BF            41.36    41.72    43.09  
d 9            2.52     2.20     0.99  
d16            1.24     1.19     1.03   
d24           41.36    41.72    43.09  
入射瞳位置    22.52    22.43    22.12  
射出瞳位置   -32.96   -32.96   -32.96  
前側主点位置  36.07    35.98    35.63  
後側主点位置  23.53    23.55    23.62  
レンズ群データ
群  始面    焦点距離  レンズ構成長  前側主点位置  後側主点位置
1    1     196.38        42.65       123.55        225.48
2   10     585.06        20.05        60.98         51.33
3   17      43.28        26.19        20.06          4.42
単レンズデータ
レンズ  始面  焦点距離
1       1    -39.84
2       3    -64.54
3       5    -56.98
4       6     51.43
5       8     47.70
6      10     42.21
7      11    -26.49
8      13    -67.26
9      15     36.49
10      18     36.33
11      19    -19.56
12      21     33.86
13      23     79.09
【００７７】
（数値実施例７）
単位 mm
面データ
面番号       r        d      nd         vd       有効径
1*       376.340    2.32   1.51633    64.1       58.32
2*        24.486   15.23                         43.21
3         68.969    1.88   1.90270    31.0       35.95
4*        27.204    9.37                         29.49
5        -38.405    1.55   1.59522    67.7       29.22
6         72.985    7.60   1.81600    46.6       29.62
7        -62.496    0.50                         29.65
8*        43.393    5.53   1.90270    31.0       27.81
9       -381.271  (可変)                         26.21
10        438.306    4.04   1.88300    40.8       23.26
11        -46.620    1.50   1.51742    52.4       22.94
12         19.625    4.62                         21.57
13        -76.613    1.48   1.54072    47.2       21.79
14         76.613    1.07                         22.83
15         23.574    8.42   1.49700    81.5       25.78
16        -36.610  (可変)                         25.72
17(絞り)    ∞       2.50                         24.18
18        -44.580    6.34   1.49700    81.5       23.79
19        -15.174    1.28   1.89190    37.1       23.56
20        -99.612    0.23                         25.97
21         41.974    8.64   1.49700    81.5       27.77
22        -25.222    0.20                         27.95
23*      2782.761    3.90   1.51633    64.1       25.81
24        -33.807  (可変)                         25.45
25      -1032.087    1.00   1.51742    52.4       25.35
26         79.651   39.52                         25.72
像面        ∞   
【００７８】
非球面データ
第1面
K = 0.00000e+000  A 4= 2.38594e-006  A 6= 2.18938e-008  A 8=-2.20786e-010  A10=-9.68907e-014  A12=-1.18541e-018  A14= 3.19021e-020  A16= 1.07902e-022  
A 3= 5.54140e-004  A 5=-1.51957e-006  A 7= 4.19701e-009  A 9= 5.15450e-012  A11= 7.97491e-016  A13= 1.97071e-018  A15=-5.75481e-021  
第2面
K = 0.00000e+000  A 4=-6.55286e-005  A 6=-1.04490e-006  A 8=-9.65226e-010  A10= 1.61035e-012  A12=-2.84591e-014  A14=-3.95741e-017  A16=-1.56662e-020  
A 3= 7.88455e-004  A 5= 9.06413e-006  A 7= 6.13480e-008  A 9=-8.23057e-011  A11= 4.03093e-013  A13= 9.97239e-016  A15= 1.30232e-018  
第4面
K =-1.13672e+000  A 4= 2.13266e-005  A 6= 8.10213e-008  A 8=-5.74533e-010  A10= 4.58600e-012  A12=-8.65942e-015  
第8面
K =-9.13025e-001  A 4=-5.51588e-005  A 6=-2.21310e-006  A 8= 1.13754e-008  A10= 7.63159e-011  A12=-1.03447e-012  A14=-3.59192e-015  A16=-2.58239e-018  
A 3= 1.25816e-004  A 5= 1.48419e-005  A 7= 1.23284e-007  A 9=-2.14095e-009  A11= 7.93337e-012  A13= 6.62436e-014  A15= 1.43735e-016  
第23面
K =-6.91585e+007  A 4=-2.77923e-005  A 6= 4.33847e-008  A 8=-1.65159e-009  A10= 2.15985e-011  A12=-1.64462e-013  A14= 6.49421e-016  A16=-1.04017e-018   
【００７９】
各種データ
無限遠    50f     最至近
焦点距離      18.81    18.75    18.52  
Fナンバー      1.83     1.83     1.83  
半画角        48.99    48.99    48.99  
像高          21.64    21.64    21.64  
レンズ全長    93.37    93.37    93.37  
BF            39.52    39.52    39.52  
d 9            2.06     1.83     1.00  
d16            1.11     1.08     1.00  
d24            1.00     1.25     2.17  
入射瞳位置    24.31    24.25    24.01  
射出瞳位置   -26.50   -26.66   -27.27  
前側主点位置  37.76    37.65    37.25  
後側主点位置  20.71    20.38    19.16  
ズームレンズ群データ
群  始面    焦点距離  レンズ構成長  前側主点位置  後側主点位置
1    1     115.52        43.99        80.53        126.02
2   10     125.00        21.13        30.94         20.07
3   17      40.17        23.08        19.24          6.10
4   25    -142.87         1.00         0.61         -0.05
単レンズデータ
レンズ  始面  焦点距離
1       1    -50.84
2       3    -50.85
3       5    -42.06
4       6     42.33
5       8     43.43
6      10     47.91
7      11    -26.49
8      13    -70.60
9      15     30.26
10      18     43.19
11      19    -20.21
12      21     33.11
13      23     64.72
14      25   -142.87
【００８０】
表１：数値実施例１〜７における各条件式対応値
【表１】
2019066585.tif 000004
【符号の説明】
【００８１】
Ｌ１  第１レンズ群
Ｌ２  第２レンズ群
Ｌ３  第３レンズ群
【図１】
2019066585.tif 000005
【図２】
2019066585.tif 000006
【図３】
2019066585.tif 000007
【図４】
2019066585.tif 000008
【図５】
2019066585.tif 000009
【図６】
2019066585.tif 000010
【図７】
2019066585.tif 000011
【図８】
2019066585.tif 000012
【図９】
2019066585.tif 000013
【図１０】
2019066585.tif 000014
【図１１】
2019066585.tif 000015
【図１２】
2019066585.tif 000016
【図１３】
2019066585.tif 000017
【図１４】
2019066585.tif 000018
【図１５】
2019066585.tif 000019